(57)【特許請求の範囲】
【請求項１】
デジタル衛星放送受信装置、デジタル地上波放送受信装置及びデジタルケーブル放送受信装置の何れのデジタル放送受信装置にも適用可能な回路基板と、該回路基板に取り付けられる、デジタル衛星放送受信ユニット、デジタル地上波放送受信ユニット及びデジタルケーブル放送受信ユニットの何れか一つのデジタル放送受信ユニットを備えたデジタル放送受信装置を製造する方法であって、
前記回路基板は、前記デジタル放送受信ユニットが取り付けられる受信用取り付け部と、前記デジタル放送受信装置を制御するマイクロコンピュータと、該マイクロコンピュータのソフトウェアを記憶する記憶装置と、電源装置と、前記デジタル放送受信ユニットが備える回路以降の信号処理回路とが設けられたものであり、
前記デジタル放送受信ユニットは、デジタル衛星放送、デジタル地上波放送及びデジタルケーブル放送の何れか一つのデジタル放送に対応したチューナー回路、復調回路及びエラー訂正回路と、前記デジタル衛星放送受信ユニット、デジタル地上波放送受信ユニット及びデジタルケーブル放送受信ユニットの何れにも同一の、前記受信用取り付け部に対する、取り付け形状、取り付け端子ピンの機能及び取り付け端子ピンの入出力信号規格を備えたものであり、
前記デジタル放送受信ユニットを前記受信用取り付け部に取り付け、前記記憶装置にデジタル衛星放送受信用、デジタル地上波放送受信用及びデジタルケーブル放送受信用の何れか一つのデジタル放送受信用のマイコンソフトウェアを書き込み、前記デジタル放送受信装置を製造する方法。
【発明の詳細な説明】
【０００１】
【発明の属する技術分野】
本発明は、例えばデジタル衛星放送用の受信装置、デジタル地上波放送用の受信装置及びデジタルケーブルテレビ放送用の受信装置などのデジタル放送受信装置の製造方法に関する。
【０００２】
【従来の技術及び発明が解決しようとする課題】
近年、デジタル衛星放送、デジタル地上波放送及びデジタルケーブルテレビ放送が行なわれている。従来は、之等デジタル衛星放送、デジタル地上波放送及びデジタルケーブルテレビ放送を受信するデジタル衛星放送用の受信装置、デジタル地上波放送用の受信装置及びデジタルケーブルテレビ放送用の受信装置を個別に設計し、個別に製造していた。
【０００３】
このため、之等の回路設計、基板設計に、多くの時間と人を要し、また、製造工程では異なる受信装置を製造する際に製造ラインの切り替えのために多くの時間がかかり、生産性が悪い不都合があった。
【０００４】
また、主基板の金型、製品の外装の金型等が複数の製品に対し、異なるものが必要でありコストアップの要因となる不都合があった。
【０００５】
ところで、デジタル衛星放送用の受信装置、デジタル地上波放送用の受信装置及びデジタルケーブルテレビ放送用の受信装置はエラー訂正以降の信号処理回路はほぼ同一の回路である。
【０００６】
本発明は、斯る点に鑑み、デジタル衛星放送用の受信装置、デジタル地上波放送用の受信装置及びデジタルケーブルテレビ放送用の受信装置などの製造方法の共通化を図ることにより、生産性の向上及びコストダウンを図ることを目的とする。
【０００７】
【課題を解決するための手段】
本発明のデジタル放送受信装置の製造方法は、デジタル衛星放送受信装置、デジタル地上波放送受信装置及びデジタルケーブル放送受信装置の何れのデジタル放送受信装置にも適用可能な回路基板と、該回路基板に取り付けられる、デジタル衛星放送受信ユニット、デジタル地上波放送受信ユニット及びデジタルケーブル放送受信ユニットの何れか一つのデジタル放送受信ユニットを備えたデジタル放送受信装置を製造する方法である。
【０００８】
上記回路基板には、デジタル放送受信ユニットが取り付けられる受信用取り付け部と、デジタル放送受信装置を制御するマイクロコンピュータと、該マイクロコンピュータのソフトウェアを記憶する記憶装置と、電源装置と、デジタル放送受信ユニットが備える回路以降の信号処理回路とが設けられており、デジタル放送受信ユニットは、デジタル衛星放送、デジタル地上波放送及びデジタルケーブル放送の何れか一つのデジタル放送に対応したチューナー回路、復調回路及びエラー訂正回路と、前記デジタル衛星放送受信ユニット、デジタル地上波放送受信ユニット及びデジタルケーブル放送受信ユニットの何れにも同一の、前記受信用取り付け部に対する、取り付け形状、取り付け端子ピンの機能及び取り付け端子ピンの入出力信号規格を備えている。
【０００９】
そして、デジタル放送受信ユニットを受信用取り付け部に取り付け、記憶装置にデジタル衛星放送受信用、デジタル地上波放送受信用及びデジタルケーブル放送受信用の何れか一つのデジタル放送受信用のマイコンソフトウェアを書き込んで、デジタル放送受信装置を製造する。
【００１０】
また、本発明によれば、この回路基板がほぼ同一であるため、異なるデジタル放送受信装置を製造する際の製造ラインを切り替える必要がなく、この切り替え時間が大幅に短縮でき、生産性が改善できる。
【００１１】
【発明の実施の形態】
以下、図面を参照して本発明のデジタル放送受信装置の製造方法の実施の形態に必要なデジタル放送受信装置の回路基板について説明する。
【００１２】
図１において、１はデジタル放送用の受信装置の主基板を示し、本例においてはデジタル衛星放送用の受信装置、デジタル地上波放送用の受信装置及びデジタルケーブルテレビ放送用の受信装置がエラー訂正回路以降の信号処理回路がほぼ同一の回路であることに着目し、この主基板１にこの３種の受信装置のいずれにも適用できるエラー訂正回路以降の信号処理回路を設ける如くする。
【００１３】
この主基板１に設けるエラー訂正回路以降の信号処理回路としては例えば図３に示す如き回路を設ける。即ち、図３において、１０は５〜６番組信号より成る８ビットパラレルのＭＰＥＧ  ＴＳ信号が供給される入力端子を示し、この入力端子１０よりのＭＰＥＧ  ＴＳ信号をこの５〜６番組信号から希望の番組信号を取り出すデマルチプレクス回路１１に供給する如くし、このデマルチプレクス回路１１よりの希望の番組信号をＭＰＥＧデコーダ１２に供給し、このＭＰＥＧデコーダ１２においてビデオ信号及び音声信号を得、ビデオ信号をビデオ出力端子１３Ｖに供給すると共にこの音声信号を音声出力端子１３Ｓに供給する如くする。
【００１４】
この主基板１には、この受信装置を制御するマイクロコンピュータ、このマイクロコンピュータのソフトウェアを記憶する記憶装置、電源装置等、その他チューナ回路、復調回路及びエラー訂正回路以外で必要な従来と同様の回路が設けられている。
【００１５】
また本例においては、この主基板１の所定位置に受信用ユニット取り付け部２を設ける。また図１において２０はデジタル衛星放送受信用ユニット、３０はデジタル地上波放送受信用ユニット及び４０はデジタルケーブル放送受信用ユニットを示し、之等受信用ユニット２０，３０及び４０の取り付け形状を統一し、之等受信用ユニット２０，３０及び４０のいずれもを、この主基板１の受信用ユニット取り付け部２に同様に取り付けることができる如くする。
【００１６】
また、この場合、之等受信用ユニット２０，３０及び４０を取り付け形状を同一にすると共に各取り付け端子ピンの機能を同一とし、またこの各取り付け端子ピンの入出力信号の規格を同一にする如くする。
【００１７】
このデジタル衛星放送受信用ユニット２０としては、図２Ａに示す如き回路が組込まれている。即ち、この受信用ユニット２０の高周波入力端子２１に例えばＢＳコンバータよりの例えば９５０ＭＨｚ〜２，１５０ＭＨｚの高周波受信信号を供給する如くし、この高周波受信信号を例えばＢＳチューナ回路２２に供給し、このＢＳチューナ回路２２よりの中間周波信号を例えば８ＰＳＫ（位相偏移変調）復調回路より成る復調回路２３に供給して復調し、この復調回路２３よりの復調信号を例えばビタビ回路及びリードソロモン回路より成るエラー訂正回路２４に供給し、このエラー訂正回路２４の出力端子２５に８ビットパラレルのＭＰＥＧ  ＴＳ信号を得る如くしたものである。
【００１８】
また、デジタル地上波放送受信用ユニット３０としては、図２Ｂに示す如き回路が組込まれている。即ち、この受信用ユニット３０の高周波入力端子３１にアンテナよりの例えば９０ＭＨｚ〜７７０ＭＨｚの高周波受信信号を供給する如くし、この高周波受信信号をチューナ回路３２に供給し、このチューナ回路３２よりの中間周波信号を例えばＯＦＤＭ（直交周波数分割多重変調）復調回路より成る復調回路３３に供給して復調し、この復調回路３３よりの復調信号を例えばビタビ回路及びリードソロモン回路より成るエラー訂正回路３４に供給し、このエラー訂正回路３４の出力端子３５に８ビットパラレルのＭＰＥＧ  ＴＳ信号を得る如くしたものである。
【００１９】
また、デジタルケーブル放送受信用ユニット４０としては、図２Ｃに示す如き回路が組込まれている。即ち、この受信用ユニット４０の高周波入力端子４１にケーブルよりの例えば９０ＭＨｚ〜７７０ＭＨｚの高周波信号を供給する如くし、この高周波信号をチューナ回路４２に供給し、このチューナ回路４２よりの中間周波信号を例えば６４ＱＡＭ（直交振幅変調）復調回路より成る復調回路４３に供給して復調し、この復調回路４３よりの復調信号を例えばリードソロモン回路より成るエラー訂正回路４４に供給し、このエラー訂正回路４４の出力端子４５に８ビットパラレルのＭＰＥＧ  ＴＳ信号を得る如くしたものである。
【００２０】
本例においては、デジタル衛星放送用の受信装置を製造するときには、上述主基板１を製造すると共に上述デジタル衛星放送受信用ユニット２０を製造し、このデジタル衛星放送受信用ユニット２０を主基板１の受信用ユニット取り付け部２に取り付け、この主基板１の制御用のマイクロコンピュータの記憶装置にデジタル衛星放送受信用のマイコンソフトウェアを書き込めば良い。
【００２１】
またデジタル地上波放送用の受信装置を製造するときには、上述主基板１を製造すると共に上述デジタル地上波放送受信用ユニット３０を製造し、このデジタル地上波放送受信用ユニット３０をこの主基板１の受信用ユニット取り付け部２に取り付け、この主基板１の制御用のマイクロコンピュータの記憶装置にデジタル地上波放送受信用のマイコンソフトウェアを書き込めば良い。
【００２２】
またデジタルケーブルテレビ放送用の受信装置を製造するときには、上述主基板１を製造すると共に上述デジタルケーブルテレビ放送受信用ユニット４０を製造し、このデジタルケーブルテレビ放送受信用ユニット４０をこの主基板１の受信用ユニット取り付け部２に取り付け、この主基板１の制御用のマイクロコンピュータの記憶装置にデジタルケーブル放送受信用のマイコンソフトウェアを書き込めば良い。
【００２３】
本例によれば、デジタル衛星放送用の受信装置、デジタル地上波放送用の受信装置及びデジタルケーブルテレビ放送用の受信装置を製造するのに主基板１を共通とするようにしたので、この主基板１を１種類とすることができ、この主基板１の回路設計、基板設計の所用時間及び人を大幅に少なくできる利益が有る。
【００２４】
また本例によれば、この主基板１は共通であるので、異なるデジタル放送用の受信装置を製造する際の製造ラインの切り替えを必要とすることがなく、この切り替え時間が大幅に短縮でき、生産性が改善され、コストダウンを図ることができる。
【００２５】
また本例によれば主基板１が共通なので、主基板１の設計コストだけでなく、この主基板１の金型や、製品の外装の金型を容易に共通化でき、これによってもコストダウンができる。
【００２６】
尚、本発明は上述例に限ることなく、本発明の要旨を逸脱することなくその他種々の構成が採り得ることは勿論である。
【００２７】
【発明の効果】
本発明によれば、複数種の異なるデジタル放送受信装置の回路基板をほぼ同一とするようにしたので、この回路基板を１種類とすることができ、この回路基板の回路設計、基板設計の所用時間及び人を大幅に少なくできコストダウンを図ることができる。
【００２８】
また本発明によれば、この回路基板はほぼ同一であるため異なるデジタル放送受信装置を製造する際の製造ラインを切り替える必要がなく、この切り替え時間が大幅に短縮でき生産性が改善される。
【図面の簡単な説明】
【図１】本発明の実施の形態の例を示す構成図である。
【図２】受信用ユニットの例の説明に供するブロック図である。
【図３】主基板の例の説明に供するブロック図である。
【符号の説明】
１‥‥主基板、２‥‥受信用ユニット取り付け部、１０‥‥入力端子、１１‥‥デマルチプレクス回路、１２‥‥ＭＰＥＧデコーダ、１３Ｖ‥‥ビデオ出力端子、１３Ｓ‥‥音声出力端子、２１，３１，４１‥‥高周波入力端子、２２，３２，４２‥‥チューナ回路、２３，３３，４３‥‥復調回路、２４，３４，４４‥‥エラー訂正回路、２５，３５，４５‥‥出力端子
【図１】
0004726271.tif 000002
【図２】
0004726271.tif 000003
【図３】
0004726271.tif 000004